【手続補正書】
【提出日】平成19年10月11日(2007.10.11)
【手続補正１】
【補正対象書類名】特許請求の範囲
【補正対象項目名】全文
【補正方法】変更
【補正の内容】
【特許請求の範囲】
【請求項１】
ＣＳ呼とＩＭＳセッションともを使用できる第１の端末と、ＩＭＳセッションを使用できる第２の端末との間の音声及びマルチメディアサービスの連動方法であって、
前記第１の端末が登録されているＩＭＳドメインの制御エンティティで、前記第２の端末により発信されたサービスに対し、前記第１の端末に向かうＳＩＰに従う要請メッセージを受信するステップと、
前記要請メッセージが、音声通話サービスと前記音声通話サービスの以外のマルチメディアサービスとを要請する場合、前記制御エンティティで、前記要請メッセージに含まれた音声通話関連部分とマルチメディアサービス関連部分とを分離し、前記それぞれの関連部分を含む第１及び第２の要請メッセージを生成するステップと、
前記音声通話関連部分を含む前記第１の要請メッセージを、前記制御エンティティから前記第１の端末が連結されているＣＳドメインを介して前記第１の端末に伝送するステップと、
前記マルチメディアサービス関連部分を含む第２の要請メッセージを、前記制御エンティティから前記第１の端末に伝送するステップと、
前記第１及び第２の要請メッセージに対応する第１及び第２の応答メッセージを前記第１の端末から受信し、前記制御エンティティで前記第１及び第２の応答メッセージを結合して、結合された応答メッセージを生成するステップと、
前記結合された応答メッセージを前記要請メッセージに対応して前記第２の端末に伝送するステップと、
前記第２の端末と前記ＩＭＳドメインのＭＧＷとの間に設定された音声ベアラーと、前記第１の端末と前記ＣＳドメインとの間に設定されたＣＳ音声ベアラーとを介して音声通話が遂行され、前記第２の端末と前記第１の端末との間に設定されたユーザーベアラーを介して前記マルチメディアサービスが遂行されるステップと、を含むことを特徴とする連動方法。
【請求項２】
前記制御エンティティは、前記ＩＭＳドメインに位置し、ＣＳＩサービスを支援するＣＳＩ ＡＳを含むことを特徴とする、請求項１に記載の連動方法。
【請求項３】
前記要請メッセージを受信するステップは、
前記第２の端末が登録されているＩＭＳドメインを介して、前記第１の端末が登録されているＩＭＳドメインのＳ−ＣＳＣＦにより前記要請メッセージを受信するステップと、
前記Ｓ−ＣＳＣＦにより前記要請メッセージが前記音声通話サービス及び前記マルチメディアサービスを要請することを確認し、前記要請メッセージを前記ＣＳＩ ＡＳに伝達するステップと、を含むことを特徴とする請求項２に記載の連動方法。
【請求項４】
Ｓ−ＣＳＣＦは、前記要請メッセージを前記ＣＳＩ ＡＳに伝送するステップにおいて、前記第１の端末のユーザープロファイルに含まれているｉＦＣを参照して、前記第１の端末のためのＳＩＰシグナリング要請が前記ＣＳＩ ＡＳに伝達されるように構成されたことを特徴とする、請求項３に記載の連動方法。
【請求項５】
前記制御エンティティは、前記ＩＭＳドメインに位置し、前記第１の端末のＩＭＳセッションを処理するＳ−ＣＳＣＦを含むことを特徴とする、請求項１に記載の連動方法。
【請求項６】
前記Ｓ−ＣＳＣＦは、前記要請メッセージを前記第１の要請メッセージと前記第２の要請メッセージとに分離するステップにおいて、前記第１の端末が前記ＣＳＩサービスを支援することを示す能力情報を参照するように構成されたことを特徴とする、請求項５に記載の連動方法。
【請求項７】
前記第１の要請メッセージを前記第１の端末に伝送するステップは、前記要請メッセージの前記第１の端末に該当する宛先アドレスを示すＳＩＰ ＵＲＩを、前記第１の端末の電話番号を示すＴｅｌ ＵＲＩ形態に変換して、前記第１の要請メッセージに挿入するステップを含むことを特徴とする、請求項１に記載の連動方法。
【請求項８】
前記第１の要請メッセージを前記第１の端末に伝送するステップは、
前記第１の要請メッセージの前記Ｔｅｌ ＵＲＩ形態の宛先アドレスに前記ＣＳドメインへの伝達を示す情報を追加するステップと、
前記第１の要請メッセージに前記ＣＳドメインへの伝達を示す“Ｒｏｕｔｅ”ヘッダを追加するステップと、
前記第１の端末が登録されているＩＭＳドメインのＳ−ＣＳＣＦにより、前記Ｔｅｌ ＵＲＩ形態の宛先アドレスを持つ前記第１の要請メッセージを前記ＣＳドメインに伝達するように構成されたｉＦＣを前記第１の要請メッセージに適用するステップとの少なくとも一つを含むことを特徴とする、請求項７に記載の連動方法。
【請求項９】
前記第１の要請メッセージを伝送するステップは、
前記第１の要請メッセージを前記制御エンティティから前記ＩＭＳドメインのＭＧＣＦに伝送するステップと、
前記ＩＭＳドメインのＭＧＣＦにより、前記第１の要請メッセージをＩＳＵＰ ＩＡＭに変更して、前記ＣＳドメインに伝達するステップと、
前記ＣＳドメインから、前記ＩＳＵＰ ＩＡＭに対応するＳＳ７プロトコルに従うＳＥＴＵＰメッセージを前記第１の端末に伝送するステップと、を含むことを特徴とする請求項１に記載の連動方法。
【請求項１０】
前記要請メッセージが前記音声通話サービスだけを要請する場合、前記制御エンティティから前記要請メッセージを、前記ＣＳドメインを介して前記第１の端末に伝送するステップと、
前記制御エンティティが、前記要請メッセージに対応する応答メッセージを、前記ＣＳドメインを介して前記第１の端末から受信するステップと、
前記応答メッセージを前記要請メッセージに対応して前記第２の端末に伝送するステップと、
前記第２の端末と前記ＩＭＳドメインのＭＧＷとの間に設定された音声ベアラーと、前記第１の端末と前記ＣＳドメインとの間に設定されたＣＳ音声ベアラーとを介して、音声通話が遂行されるステップと、をさらに含むことを特徴とする請求項１に記載の連動方法。
【請求項１１】
音声通話のためにはＣＳ呼を使用し、ＰＳサービスのためにはＣＳ呼とＩＭＳセッションともを使用するように構成された第１の端末と、
前記音声通話及び前記パケット交換サービスのために、前記ＩＭＳセッションを使用する第２の端末と、
前記第２の端末により生成され、前記第１の端末に向かうＳＩＰに従う要請メッセージを受信して、前記要請メッセージの音声通話関連部分とマルチメディアサービス関連部分とを各々含む第１及び第２の要請メッセージを生成し、前記第１の要請メッセージを前記第１の端末が連結されているＣＳドメインを介して前記第１の端末に伝送し、前記第２の要請メッセージを前記第１の端末に伝送する、前記第１の端末を担当するＩＭＳドメインの制御エンティティとを含み、
前記制御エンティティは、
前記第１及び第２の要請メッセージに対応する第１及び第２の応答メッセージを前記第１の端末から受信し、前記第１及び第２の応答メッセージを結合して結合された応答メッセージを生成し、前記結合された応答メッセージを前記要請メッセージに対応して前記第２の端末に伝送し、
前記第２の端末と前記ＩＭＳドメインのＭＧＷとの間に設定された音声ベアラーと、前記第１の端末と前記ＣＳドメインとの間に設定されたＣＳ音声ベアラーとを介して音声通話が遂行され、前記第２の端末と前記第１の端末との間に設定されたユーザーベアラーを介して前記マルチメディアサービスが遂行されることを特徴とする、音声及びマルチメディアサービス連動のための装置。
【請求項１２】
前記制御エンティティは、前記ＩＭＳドメインに位置し、前記ＣＳＩサービスを支援するＣＳＩ ＡＳを含むことを特徴とする、請求項１１に記載の連動装置。
【請求項１３】
前記ＣＳＩ ＡＳは、
前記第２の端末が登録されているＩＭＳドメインを介して、前記第１の端末が登録されているＩＭＳドメインのＳ−ＣＳＣＦにより前記要請メッセージを受信し、
前記要請メッセージが前記音声通話サービス及び前記マルチメディアサービスを要請することを確認すれば、前記Ｓ−ＣＳＣＦにより、前記要請メッセージが前記ＣＳＩ ＡＳに伝達されることを特徴とする、請求項１２に記載の連動装置。
【請求項１４】
前記Ｓ−ＣＳＣＦは、前記要請メッセージを前記ＣＳＩ ＡＳに伝送するために、前記第１の端末のユーザープロファイルに含まれているｉＦＣを参照して、前記第１の端末のためのＳＩＰシグナリング要請が前記ＣＳＩ ＡＳに伝達されるように構成されたことを特徴とする、請求項１３に記載の連動装置。
【請求項１５】
前記制御エンティティは、前記ＩＭＳドメインに位置し、前記第１の端末のＩＭＳセッションを処理するＳ−ＣＳＣＦを含むことを特徴とする、請求項１１に記載の連動装置。
【請求項１６】
前記Ｓ−ＣＳＣＦは、前記要請メッセージを前記第１の要請メッセージと前記第２の要請メッセージとに分離するために、前記第１の端末が前記ＣＳＩサービスを支援することを示す能力情報を参照するように構成されたことを特徴とする、請求項１５に記載の連動装置。
【請求項１７】
前記制御エンティティは、前記要請メッセージの前記第１の端末に該当する 宛先アドレスを示すＳＩＰ ＵＲＩを、前記第１の端末の電話番号を示すＴｅｌ ＵＲＩ形態に変換して、前記第１の要請メッセージに挿入することを特徴とする、請求項１１に記載の連動装置。
【請求項１８】
前記制御エンティティは、
前記第１の要請メッセージの前記Ｔｅｌ ＵＲＩ形態の宛先アドレスに前記ＣＳドメインへの伝達を示す情報を追加したり、
前記第１の要請メッセージに前記ＣＳドメインへの伝達を示す“Ｒｏｕｔｅ”ヘッダを追加したり、
前記第１の端末が登録されているＩＭＳドメインのＳ−ＣＳＣＦが、前記Ｔｅｌ ＵＲＩ形態の宛先アドレスを持つ前記第１の要請メッセージを前記ＣＳドメインに伝達するように構成されたｉＦＣを前記第１の要請メッセージに適用することを特徴とする、請求項１７に記載の連動装置。
【請求項１９】
前記第１の要請メッセージを前記制御エンティティから受信し、前記第１の要請メッセージをＩＳＵＰ ＩＡＭに変更して、前記ＣＳドメインに伝達する、 ＩＭＳ ＭＧＣＦをさらに含み、
前記ＣＳドメインは、前記ＩＳＵＰ ＩＡＭに対応するＳＳ７プロトコルに従うＳＥＴＵＰメッセージを前記第１の端末に伝送するように構成されたことを特徴とする、請求項１１に記載の連動装置。
【請求項２０】
前記制御エンティティは、
前記要請メッセージが前記音声通話サービスだけを要請する場合、前記要請メッセージを前記ＣＳドメインを介して前記第１の端末に伝送し、
前記要請メッセージに対応する応答メッセージを、前記ＣＳドメインを介して前記第１の端末から受信すれば、前記応答メッセージを前記要請メッセージに対応して前記第２の端末に伝送し、
前記制御エンティティの動作により設定されるベアラーである、前記第２の端末と前記ＩＭＳドメインのＭＧＷとの間に設定された音声ベアラーと、前記第１の端末と前記ＣＳドメインとの間に設定されたＣＳ音声ベアラーとを介して、音声通話が遂行されることを特徴とする、請求項１１に記載の連動装置。
【請求項２１】
前記音声通話を遂行するステップと、前記マルチメディアサービスを遂行するステップとは同時に遂行されることを特徴とする、請求項１に記載の連動方法。
【請求項２２】
前記音声通話と前記マルチメディアサービスとは同時に遂行されることを特徴とする、請求項１１に記載の連動装置。
【請求項２３】
回線交換（ＣＳ）呼及びインターネットプロトコルマルチメディアサブシステム（ＩＭＳ）セッションを同時に使用可能な第１の端末とＶｏＩＰを使用可能な第２の端末との間の前記ＣＳ呼及び前記ＩＭＳサービスを提供する方法であって、
音声部分及び他の部分を含む第１のメッセージを受信するステップと、
前記音声部分を他の部分から分離するステップと、
前記音声部分を含む第２のメッセージをＣＳドメインを介して前記第１の端末へ送信するステップと、
前記他の部分を含む第３のメッセージをＩＭＳドメインを介して前記第１の端末へ送信するステップと、
前記音声部分に対する第１の応答メッセージを前記ＣＳドメインを介して前記第１の端末から受信するステップと、
前記他の部分に対する第２の応答メッセージを前記ＩＭＳドメインを介して前記第１の端末から受信するステップと、
前記音声部分及び前記他の部分に対する第３の応答メッセージを前記第２の端末へ送信するステップと
を含むことを特徴とする方法。
【請求項２４】
前記第１のメッセージは、前記第１の端末に向かうセッション初期化プロトコル（ＳＩＰ）基盤メッセージであることを特徴とする請求項２３記載の方法。
【請求項２５】
前記ＩＭＳドメインは、前記ＣＳ呼と前記ＩＭＳセッションとの結合されたサービスを支援するためのＣＳＩ ＡＳを含むことを特徴とする請求項２３記載の方法。
【請求項２６】
前記第１のメッセージを受信するステップは、
前記第１の端末が登録された前記ＩＭＳドメインのＳ-ＣＳＣＦが前記第２の端末により発信された前記第１のメッセージを受信するステップと、
前記Ｓ-ＣＳＣＦが前記第１のメッセージを前記ＣＳＩ ＡＳへ伝達するステップとを含むことを特徴とする請求項２５記載の方法。
【請求項２７】
前記音声部分を前記他の部分から分離するステップは、
前記第１のメッセージが前記音声部分と前記他の部分とを含むか否かを確認するステップと、
前記音声部分を前記他の部分から分離するステップと、
前記音声部分に対する第２のメッセージ及び前記他の部分に対する第３のメッセージを生成するステップとを含むことを特徴とする請求項２５記載の方法。
【請求項２８】
前記第２のメッセージを伝送するステップは、
前記第２のメッセージを前記ＣＳＩ ＡＳからメディアゲートウエイ制御部（ＭＧＣＦ）へ伝送するステップと、
前記ＭＧＣＦが前記第２のメッセージをＩＳＵＰ ＩＡＭに変更し、前記ＩＳＵＰ ＩＡＭを前記ＣＳドメインを介して前記第１の端末へ伝送するステップとを含むことを特徴とする請求項２５記載の方法。
【請求項２９】
前記第２のメッセージを前記ＣＳＩ ＡＳから前記メディアゲートウエイ制御部（ＭＧＣＦ）へ伝送するステップは、
前記第２のメッセージをＳ-ＣＳＣＦを介して前記ＭＧＣＦへ伝送することを特徴とする請求項２８記載の方法。
【請求項３０】
前記第３のメッセージを伝送するステップは、
前記第３のメッセージをＳ-ＣＳＣＦへ伝送するステップと、
前記第３のメッセージを前記第１の端末へ伝達するステップとを含むことを特徴とする請求項２５記載の方法。
【請求項３１】
前記第１の応答メッセージを受信するステップは、
メディアゲートウエイ制御部（ＭＧＣＦ）が前記第１の端末との接続を示すＩＳＵＰ ＣＯＮメッセージを前記ＣＳドメインを介して受信するステップと、
前記ＭＧＣＦが前記ＩＳＵＰ ＣＯＮメッセージをセッション初期化プロトコル（ＳＩＰ）基盤２００ ＯＫメッセージに変更するステップと、
前記２００ ＯＫメッセージを前記ＭＧＣＦからＳ-ＣＳＣＦへ伝送するステップと、
前記Ｓ-ＣＳＣＦが前記２００ ＯＫメッセージを前記第２のメッセージに対する応答として前記ＣＳＩ ＡＳへ伝達するステップとを含むことを特徴とする請求項２５記載の方法。
【請求項３２】
前記ＣＳドメインは、前記第２の端末と呼に対する無線ベアラーを設定した第１の端末からＳＥＴＵＰメッセージに応じた接続メッセージを受信することを特徴とする請求項３１記載の方法。
【請求項３３】
前記第２の応答メッセージを受信するステップは、
Ｓ-ＣＳＣＦが、前記第１の端末が前記他の部分に対するセッションを受諾することを示す２００ ＯＫメッセージを受信するステップと、
前記Ｓ-ＣＳＣＦが前記２００ ＯＫメッセージをＣＳＩ ＡＳへ伝達するステップとを含むことを特徴とする請求項２５記載の方法。
【請求項３４】
前記第３の応答メッセージを伝送するステップは、
前記ＣＳＩ ＡＳが前記音声部分及び前記他の部分に対する結合された２００ ＯＫメッセージを生成するステップと、
前記ＣＳＩ ＡＳが前記結合された２００ ＯＫメッセージをＳ-ＣＳＣＦへ伝送するステップと、
前記結合された２００ ＯＫメッセージを前記第２の端末へ伝達するステップとを含むことを特徴とする請求項２５記載の方法。
【請求項３５】
前記第２の端末とメディアゲートウエイ（ＭＧＷ）との間のＶｏＩＰ音声ベアラー及び前記第１の端末と前記ＭＧＷとの間のＣＳ音声ベアラーを介して音声呼を遂行するステップと、
前記第２の端末と前記第１の端末との間のユーザーベアラーを介して他のサービスを遂行するステップとをさらに含むことを特徴とする請求項２３記載の方法。
【請求項３６】
前記他の部分は、少なくとも一つのメッセージ部分と、ファイル変更部分と、ＭＳＲＰ部分と、他のＰＳサービス部分とを含むことを特徴とする請求項２３記載の方法。
【請求項３７】
回線交換（ＣＳ）呼及びインターネットプロトコルマルチメディアサブシステム（ＩＭＳ）セッションを同時に使用することができ、ＶｏＩＰ呼を使用することができる第２の端末と前記第２の端末から受信された音声部分及び他の部分を含む第１のメッセージに従って通信する第１の端末のサービス提供方法であって、
前記第１のメッセージから分離された音声部分を含む第２のメッセージをＣＳドメインから受信するステップと、
前記第１のメッセージから分離された他の部分を含む第３のメッセージをＩＭＳドメインから受信するステップと、
第１の応答メッセージを前記ＣＳドメインを介して前記第２の端末へ伝送するステップと、
第２の応答メッセージを前記ＩＭＳドメインを介して前記第２の端末へ伝送するステップと
を含むことを特徴とするサービス提供方法。
【請求項３８】
前記第２の端末とメディアゲートウエイ（ＭＧＷ）との間のＶｏＩＰ音声ベアラー及び前記第１の端末と前記ＭＧＷとの間のＣＳ音声ベアラーを介して音声呼を遂行するステップと、
前記第２の端末と前記第１の端末との間のユーザーベアラーを介して他のサービスを遂行するステップとをさらに含むことを特徴とする請求項３７記載のサービス提供方法。
【請求項３９】
前記第１のメッセージは、前記第１の端末に向かうセッション初期化プロトコル（ＳＩＰ）基盤メッセージであることを特徴とする請求項３７記載のサービス提供方法。
【請求項４０】
前記第２のメッセージは、前記ＩＭＳドメインのメディアゲートウエイ制御部（ＭＧＣＦ）により変更されたＩＳＵＰ ＩＡＭに対応するＣＳドメインを介したＳＳ７プロトコル基盤ＳＥＴＵＰメッセージであることを特徴とする請求項３７記載のサービス提供方法。
【請求項４１】
前記第１の応答メッセージは、前記ＳＥＴＵＰメッセージに応じた接続メッセージであることを特徴とする請求項３７記載のサービス提供方法。
【請求項４２】
前記第２の応答メッセージは、前記第１の端末が前記他の部分に対するセッションを受諾することを示す２００ ＯＫメッセージであることを特徴とする請求項３７記載のサービス提供方法。
【請求項４３】
前記他の部分は、少なくとも一つのメッセージ部分と、ファイル変更部分と、ＭＳＲＰ部分と、他のＰＳサービス部分とを含むことを特徴とする請求項３７記載のサービス提供方法。
【請求項４４】
回線交換（ＣＳ）呼及びインターネットプロトコルマルチメディアサブシステム（ＩＭＳ）セッションを同時に使用可能な第１の端末とＶｏＩＰ呼を使用可能な第２の端末との間の回線交換（ＣＳ）呼及びインターネットプロトコルマルチメディアサブシステム（ＩＭＳ）サービスを提供するための装置であって、
音声部分及び他の部分を含む第１のメッセージを受信し、前記音声部分を前記他の部分から分離し、前記音声部分を含む第２のメッセージをＣＳドメインを介して前記第１の端末へ伝送し、前記他の部分を含む第３のメッセージをＩＭＳドメインを介して前記第１の端末へ伝送する第１の構成要素と、
前記音声部分に対する第１の応答メッセージを前記ＣＳドメインを介して前記第１の端末から受信し、前記他の部分に対する第２の応答メッセージを前記ＩＭＳドメインを介して前記第１の端末から受信する第２の構成要素と、
前記音声部分及び前記他の部分に対する第３の応答メッセージを前記第２の端末へ伝送する第３の構成要素と
を含むことを特徴とする装置。
【請求項４５】
前記第１のメッセージは、前記第１の端末に向かうセッション初期化プロトコル（ＳＩＰ）基盤メッセージであることを特徴とする請求項４４記載の装置。
【請求項４６】
前記制御エンティティは、ＣＳＩ ＡＳを含むことを特徴とする請求項４４記載の装置。
【請求項４７】
前記ＣＳＩ ＡＳは、前記第１の端末が登録された前記ＩＭＳドメインのＳ-ＣＳＣＦを介して前記第２の端末により発信された前記第１のメッセージを受信することを特徴とする請求項４５記載の装置。
【請求項４８】
前記ＣＳＩ ＡＳは、前記第１のメッセージが前記音声部分及び前記他の部分を含んでいるか否かにより、前記音声部分を前記他の部分から分離することにより、前記音声部分に対する第２のメッセージ及び前記他の部分に対する第３のメッセージを生成することを特徴とする請求項４５記載の装置。
【請求項４９】
前記ＣＳＩ ＡＳは、前記第２のメッセージをメディアゲートウエイ制御部（ＭＧＣＦ）へ伝送し、前記メディアゲートウエイ制御部（ＭＧＣＦ）は、前記第２のメッセージをＩＳＵＰ ＩＡＭに変更し、前記ＩＳＵＰ ＩＡＭを前記ＣＳドメインを介して前記第１の端末へ伝送することを特徴とする請求項４５記載の装置。
【請求項５０】
前記ＣＳＩ ＡＳは、前記第２のメッセージをＳ-ＣＳＣＦを介してメディアゲートウエイ制御部（ＭＧＣＦ）へ伝送することを特徴とする請求項４８記載の装置。
【請求項５１】
前記ＣＳＩ ＡＳは、前記第３のメッセージをＳ-ＣＳＣＦを介して前記第１の端末へ伝送することを特徴とする請求項４８記載の装置。
【請求項５２】
前記メディアゲートウエイ制御部（ＭＧＣＦ）は、
前記ＣＳドメインを介して前記第１の端末と接続されることを示すＩＳＵＰ ＣＯＮメッセージを受信し、前記ＩＳＵＰ ＣＯＮメッセージをＳＩＰ基盤２００ ＯＫメッセージに変更し、前記２００ ＯＫメッセージを前記第２のメッセージに対する応答として前記ＣＳＩ ＡＳへ伝送することを特徴とする請求項４８記載の装置。